(57)【要約】【課題】携帯電話など電波を発する携帯通信機器であっても、無線を使用しない機能（Audio再生やカメラ撮影など）の機能が使用可能であるが、電波を発する無線通信機能があるため、飛行機や病院等では電源をOFFにする必要があった。【解決手段】専用の外付け機器１００を接続することで、携帯通信機器２００を無線通信機能停止状態にして、外付け機器１００を接続したまま使用することで、周囲（他の人）からも無線停止状態であることが外付け機器の存在により明確に認識してもらえるため、無線通信が不適切な場所であっても使用することを可能とした。【選択図】図１
2012195906.tif 000002
【特許請求の範囲】
【請求項１】
無線通信機能を有する携帯通信機器と、前記携帯通信機器と接続して使用する外付け機器と、によって構成される携帯通信機器システムで、
前記外付け機器を接続した場合、前記携帯通信機器は、無線通信機能を停止するとともに、無線通信機能が停止中であることを前記外付け機器に通知し、
前記外付け機器は、前記通知を受けるまで前記無線通信機能が停止中でないことを報知し、前期通知を受けると前記無線通信機能が停止中であることを報知する携帯通信機器システム。
【請求項２】
請求項１に記載の携帯通信機器システムであって、
前記携帯通信機器は、電源起動時に前記外付け機器の接続の有無をチェックし、
前記外付け機器が接続されている場合は、起動処理の中で無線通信機能を停止したまま起動し、
前記外付け機器が接続されていない場合は、通常の起動処理を実施する携帯通信機器システム。
【請求項３】
請求項１又は請求項２に記載の携帯通信機器システムであって、
前記外付け機器を前記携帯通信機器に接続した際に、前記外付け機器は未接続状態に変化したときの処理をあらかじめ前記携帯通信機器に設定する機能を有する携帯通信機器システム。
【請求項４】
携帯通信機器と、前記携帯通信機器と接続して使用する外付け機器と、によって構成される携帯通信機器システムで、
前記外付け機器を接続した場合、前記携帯通信機器は、その携帯通信機器が持つ特定の機能を停止するとともに、前記機能が停止中であることを前記外付け機器に通知し、
前記外付け機器は、前記通知を受けるまで前記機能が停止中でないことを報知し、前記通知を受けると前記機能が停止中であることを報知する携帯通信機器システム。
【請求項５】
請求項１から請求項４のいずれか１項に記載の携帯通信機器システムを構成する携帯通信機器。
【請求項６】
請求項１から請求項４のいずれか１項に記載の携帯通信機器システムを構成する外付け機器。
【発明の詳細な説明】
【技術分野】
【０００１】
本発明は、無線通信機能を有する携帯通信機器について、無線通信が許可されない場所において、無線通信機能を停止する携帯通信機器、外付け機器及び当該携帯通信機器システムに関するものである。
【背景技術】
【０００２】
無線通信機能を有する携帯通信機器については、無線通信が許可されない場所（飛行機の中や病院の中など）において、携帯通信機器本体の電源をOFFにすることにより、無線通信機能を使用しないようになっている。また、携帯通信機器の機能は多様化しており、無線通信機能を使用しない機能も多くなっている。
【０００３】
また従来は、無線通信機能のみを停止し、停止状態を携帯通信機器の着信LEDと兼用し、色や点灯周期などを変えることで通知するもの（特許文献1）等が考えられている。
【先行技術文献】
【特許文献】
【０００４】
【特許文献１】特許第３５９８０６３号公報
【発明の概要】
【発明が解決しようとする課題】
【０００５】
携帯電話など電波を発する携帯通信機器であっても、無線を使用しない機能（Audio再生やカメラ撮影など）の機能が使用可能であるが、電波を発する無線通信機能があるため、飛行機や病院等では電源をOFFにする必要があった。
【０００６】
対して、従来の技術では、特許文献１に記載の発明には無線通信機能のみ停止して、着信LEDを兼用し、色や点灯周期などを変えることで通知することが記載されているが、着信LEDの光り方自体も多様化している中、周囲（他の人）にそれが無線通信機能を停止している状態かどうかを認識させることは難しいと考えられる。
【０００７】
また、すべての携帯通信機器がこの無線通信機能のみ停止する機能を有しているか、否かを区別することも携帯通信機器だけでは難しいと考えられる。
【０００８】
したがって、従来の技術では、通信機能（電波を発する機能）だけを停止する機能があったとしても、それを周囲（他の人）から明確に認識してもらえる手段がなかったため、無線通信機能のみ停止させた携帯通信機器を、無線通信が許可されない場所で使用可能にすることは難しかった。
【課題を解決するための手段】
【０００９】
本発明の携帯通信機器システムは、無線通信機能を有する携帯通信機器と、前記携帯通信機器と接続して使用する外付け機器と、によって構成される携帯通信機器システムで、前記外付け機器を接続した場合、前記携帯通信機器は無線通信機能を停止するとともに、無線通信機能が停止中であることを前記外付け機器に通知し、前記外付け機器は、前記通知を受けると前記無線通信機能が停止中であることを報知する。
【００１０】
この構成によれば、無線通信機能停止専用の外付け機器を接続状態にすることで、無線通信機能を停止し、外付け機器が接続状態で無線停止状態の有無を報知することから、周囲（他の人）から容易に無線通信機能が停止状態であることを容易に認識可能とし、無線通信が許可されない場所でも無線通信機能のみ停止させた携帯通信機器を使用することができる。
【００１１】
また、本発明の携帯通信機器システムでは、前記携帯通信機器は、電源起動時に前記外付け機器の接続の有無をチェックし、前記外付け機器が接続されている場合は、起動処理の中で無線通信機能を停止したまま起動し、前記外付け機器が接続されていない場合は、通常の起動処理を実施する。
【００１２】
この構成によれば、電源起動時に無線を停止させたまま起動させることが可能となるため、一切無線機能を使用せずに携帯通信機器のその他の機能を使用することが可能となる。
【００１３】
また、本発明の携帯通信システムは、前記外付け機器を、前記携帯通信機器に接続した際に、前記外付け機器を未接続状態に変化したときの処理をあらかじめ前記携帯通信機器に設定する機能を有する。
【００１４】
この構成によれば、携帯通信機器が外付け機器と接続状態から未接続状態へ変化した際に動作する処理を、接続時に設定しておくため、未接続時に携帯通信機器に対して意図した動作をさせるようにできる。
【００１５】
また、本発明の携帯通信機器システムは、携帯通信機器と、前記携帯通信機器と接続して使用する外付け機器と、によって構成される携帯通信機器システムで、前記外付け機器を接続した場合、前記携帯通信機器は、その携帯通信機器が持つ特定の機能を停止するとともに、前記機能が停止中であることを前記外付け機器に通知し、前記外付け機器は、前記通知を受けるまで前記機能が停止中でないことを報知し、前記通知を受けると前記機能が停止中であることを報知する。
【００１６】
この構成によれば、無線機能に限らず、特定の機能だけを停止できるため、さまざまな場所や状況に合わせて、それ以外の携帯通信機器の機能だけを使用することが可能となる。
【発明の効果】
【００１７】
本発明の携帯通信機器および携帯通信機器システムによれば、携帯通信機器の無線通信機能を停止させて、その状態を周囲に明確に通知することが可能となり、通信機能（電波を発する機能）を使用しない携帯通信機器として他の機能を使用することが可能となる。
【図面の簡単な説明】
【００１８】
【図１】本発明の実施の形態１における外付け機器と携帯通信機器の構成例を示すブロック図
【図２】本発明の実施の形態１、２の携帯通信機器システムの接続を示す外観図
【図３】本発明の実施の形態１の携帯通信機器システムで動作中の携帯通信機器との接続時の動作を示すフローチャート
【図４】本発明の実施の形態１、２に外付け機器の外観の１例を示す外観図
【図５】本発明の実施の形態１、２に外付け機器の外観の１例を示す外観図
【図６】本発明の実施の形態１、２に外付け機器の外観の１例を示す外観図
【図７】本発明の実施の形態１の外付け機器の構成例を示すブロック図
【図８】本発明の実施の形態１の携帯通信機器システムで電源OFF状態の携帯通信機器に接続してから起動時の動作を示すフローチャート
【図９】本発明の実施の形態１の携帯通信機器システム接続状態から未接続状態したときの動作を示すフローチャート
【図１０】本発明の実施の形態２における外付け機器と携帯通信機器の構成例を示すブロック図
【図１１】本発明の実施の形態２の携帯通信機器システムで動作中の携帯通信機器との接続時の動作を示すフローチャート
【図１２】本発明の実施の形態２の携帯通信機器システムで電源OFF状態の携帯通信機器に接続してから起動時の動作を示すフローチャート
【図１３】本発明の実施の形態２の携帯通信機器システム接続状態から未接続状態したときの動作を示すフローチャート
【発明を実施するための形態】
【００１９】
以下、本発明の実施形態における携帯電子機器および電源回路について、図面を参照しながら説明する。
【００２０】
（実施の形態１）
図１は、本発明の実施の形態１における携帯通信機器を含む携帯通信機器システムの構成例を示すブロック図である。この携帯数新機器システムは外付け機器１００と携帯通信機器２００とからなる。
【００２１】
外付け機器１００は、プロセッサ部１０１と、メモリ１０２と、LED制御部１０３と、外部接続I/O１０４と、LED１０５とを含んで構成される。
【００２２】
また、携帯通信機器２００は、無線処理部２０１と、プロセッサ部２０２と、電源制御部２０３と、メモリ２０４と、外部接続I/O２０５と、表示部２０６を含んで構成される。
【００２３】
プロセッサ部１０１はメモリ２０４に配置されるソフトウェアと外部接続I/O１０４を介して接続される携帯通信機器２００からの制御により外付け機器１００の制御を行う。
【００２４】
メモリ１０２は、プロセッサ部１０１が実行するソフトウェアやデータの記憶等を行う。
【００２５】
LED制御部１０３はプロセッサ部１０１からの制御により、LED１０５の点灯や消灯の制御を行う。
【００２６】
無線処理部２０１は、無線通信機能における送信および受信の処理を行い、プロセッサ部２０２へデータの受け渡しを行う。
【００２７】
プロセッサ部２０２は、メモリ２０４に配置されるソフトウェアにより、携帯通信機器２００に備わる各種機能の実行と周辺部品の制御を統括する。
【００２８】
メモリ２０４は、プロセッサ部２０２が実行するソフトウェアやデータの記憶等を行う。
【００２９】
電源制御部２０３は、不図示の電池から供給される電力を元に、無線処理部２０１やプロセッサ部２０２やメモリ２０４や表示部２０６および不図示の入出力装置等、携帯通信機器２００を構成する各部品に対して、それぞれの部品の仕様に適した電圧に変換した電力を供給する。電源制御部２０３は一つの電源LSIで構成されても良いし、複数の電源LSIやLDOやDC/DCコンバータ等の部品を用いて構成されても良い。また、電源制御部２０３はプロセッサ部２０２からの制御信号を受けて、各電源のON/OFFの制御等を実施できる。
【００３０】
表示部２０６は、LCD等で構成され、プロセッサ部２０２により作成された表示データを表示する。
【００３１】
外部接続I/O２０５は、外部機器との接続をするインターフェースである。本発明の携帯通信機器システムでは、携帯通信機器２００の外部接続I/O２０５と外付け機器１００の外部接続I/O１０４とを図２のように接続することで無線通信機能の停止処理が実施される。
【００３２】
まず、動作中の携帯通信機器２００に外付け機器１００を接続する場合について、図３のフローチャートを使用して説明する。携帯通信機器２００は外付け機器１００が接続状態にあるかどうかを外部接続I/O２０５と接続された端子状態の変化を検出することなどで確認する。またこの際、接続状態にある機器が本発明にかかる外付け機器１００であることを、外部接続I/O２０５、１０４を介して、両ＣＰＵ間で信号をやり取りすることで確認する（Ｓ１０）。この確認により外付け機器１００が接続されていると判断した場合、プロセッサ部２０２は無線停止処理を開始する（Ｓ１１）。無線通信機能を停止するためには、プロセッサ部２０２からの制御により、電源制御部２０３から無線処理部２０１への電源供給を停止することで実施することが可能である。なお、無線通信機能を停止する方法はこれに限らず、例えば、プロセッサ部２０２により無線処理部２０１をリセット状態にしておくなど、他の制御によって実施されても良い。また、このとき表示部２０６において、「無性通信機能を停止します」というようなポップアップ表示を行っても良い。無線停止処理が完了する（Ｓ１２）と、次に外付け機器１００に対して外部接続I/O２０５と外部接続I/O１０４を介して通知する（Ｓ１３）。この通知を受けて、外付け機器１００はLED１０５を点灯させる。図４は外付け機器１００の外観を示した図である。LED１０５を点灯させることにより、「無線停止中」という文字が周囲（他の人）からより認識可能な状態にすることが可能である。なお、ここでは「無線停止中」と書いたが、文字列や絵など他の人から無線が停止していることが伝わるものであれば良い。また１カ所だけでなく、目立つように複数の個所にあっても良い。また、上記では、無線通信機能が停止したことを受けて、LEDを点灯させるようにしたが、これに限らず、図５のようにLED１０５の位置を変えることで、携帯通信機器２００と外付け機器１００を接続してから無線通信機能を停止するまでの間、LEDを点灯させ、完了時にLEDを消灯させるようにしても良い。または図６、７のようにLEDをLED１０５，１０６の２つにして、携帯通信機器２００と外付け機器１００を接続してから無線通信機能を停止するまでの間はLED１０６を点灯させ、完了時にLED１０５を一定間隔で点灯させるなど様々な方法が可能である。
【００３３】
次に、電源OFF状態の携帯通信機器２００に外付け機器１００を接続してから起動する場合について、図８のフローチャートを使用して説明する。携帯通信機器２００の起動処理が始まると、携帯通信機器２００は外付け機器１００が接続状態にあるかどうかを外部接続I/O２０５と接続された端子状態などで確認する。またこの際、接続状態にある機器が本発明にかかる外付け機器１００であることを、外部接続I/O205、104を介して、両ＣＰＵ間で信号をやり取りすることで確認する（Ｓ２０）。外付け機器１００が接続状態になければ通常通りの起動処理が実施され（Ｓ２１）、携帯通信機器２００は起動処理を完了する。外付け機器１００が接続状態であることをプロセッサ部２０２が検出した場合は、プロセッサ部２０２は起動処理のなかで無線通信機能の起動以外の起動処理を行う（Ｓ２２）。無線通信機能の起動をしないとは、プロセッサ部２０２からの制御により、電源制御部２０３から無線処理部２０１への電源供給の処理をしないことによって可能である。なお、無線通信機能を開始しない方法はこれに限らず、他の制御によっても実施されても良い。無線通信機能以外の処理が完了すると、次に外付け機器１００に対して外部接続I/O２０５と外部接続I/O１０４を介して通知する（Ｓ２３）。この通知を受けて、外付け機器１００は先に挙げたようなLEDの点灯制御を行う。
【００３４】
最後に、携帯通信機器２００に外付け機器１００を接続することによって無線通信機能を停止した後、外付け機器１００を未接続状態にした場合について、図９のフローチャートを使用して説明する。携帯通信機器２００は外付け機器１００が未接続状態を外部接続I/O２０５と接続された端子状態の変化を検出することなどで識別する（Ｓ３０）。未接続状態と検出すると、無線起動処理を開始する（Ｓ３１）。無線通信機能を開始するためには、プロセッサ部２０２からの制御により、電源制御部２０３から無線処理部２０１への電源供給を開始することで実施することが可能である。なお、無線通信機能を開始する方法はこれに限らず、他の制御によっても実施されても良い。無線起動処理により、無線処理部２０１の起動が完了する（Ｓ３２）ことで終了する。この際、表示部２０６において、「無線通信機能を開始しました」というようなポップアップ表示を行っても良い。
【００３５】
以上のように上記の携帯通信機器システムによれば、専用の外付け機器１００を接続することで、携帯通信機器２００を無線通信機能停止状態にして、外付け機器１００を接続したまま使用することで、周囲（他の人）からも無線停止状態であることが外付け機器の存在により明確に認識してもらえるため、無線通信が不適切な場所であっても使用することが可能となる。さらに、外付け機器１００を例えば飛行機の搭乗前に配布したり、病院の入り口で配布したりして、全員がそれぞれの場所で共通の外付け機器１００をつけることにより、周囲（他の人）からもより明確に認識してもらうことが可能となり、無線通信が不適切な場所であっても、通信機能を停止した携帯通信機器２００を使用することが可能となる。
【００３６】
（実施の形態２）
図１０は、本発明の実施の形態２における携帯通信機器システムを構成する外付け機器１００と携帯通信機器２００の構成例を示すブロック図である。図１０において、実施の形態１で説明した図１と重複する部分には同じ符号を付し、説明を省略する。
【００３７】
図１０に示すように、本実施の形態の外付け機器１００は、図１と比べて、メモリ１０２の内部に条件指定データ領域１０２−１を含む構成となる。また、本実施の形態の携帯通信機器２００は図１と比べて、メモリ２０４の内部に条件保持領域２０４−１を含む構成となる。
【００３８】
条件指定データ領域１０２−１は接続状態から未接続状態になった際の動作条件を指定するデータを保持している領域であり、条件保持領域２０４−１は接続状態から未接続状態になった際の携帯通信機器２００の処理を決めるデータを保持している領域である。
【００３９】
本実施の形態における、処理について図１１〜１３のフローチャートを用いて説明する。なお、図１１〜１３はそれぞれ実施の形態１で説明した図３、８，９の処理と重複する部分には同じ符号を付し、説明を省略する。
【００４０】
まず、動作中の携帯通信機器２００に外付け機器１００を接続する場合について、図１１のフローチャートを使用して説明する。実施の形態１と同様に無線停止処理が完了する（Ｓ１２）と、未接続状態へ変化した際の処理内容を決定するため、携帯通信機器２００のプロセッサ部２０２からの制御により、条件指定データ領域１０２−１から所定のデータをプロセッサ部１０１が読み出し（Ｓ１４）、外部接続I/O１０４、２０５を介してプロセッサ部２０２がデータを受け取る。受け取ったデータは、プロセッサ部２０２からメモリ２０４の条件保持領域２０４−１に書き込み保持する（Ｓ１５）。なお、ここでは無線停止処理が完了（Ｓ１２）してから未接続状態時の条件指定のデータの受け渡しを実施するように述べたが、順序はこれに限らず、接続状態を検出して（Ｓ１０）から外付け機器へ終了したことを通知する（Ｓ１３）までに実施できれば良い。
【００４１】
次に、電源OFF状態の携帯通信機器２００に外付け機器１００を接続してから起動する場合について、図１２のフローチャートを使用して説明する。実施の形態１と同様に無線停止状態のまま起動処理を実施する（Ｓ２２）と、未接続状態へ変化した際の処理内容を決定するため、携帯通信機器２００のプロセッサ部２０２からの制御により、条件指定データ領域１０２−１から所定のデータをプロセッサ部１０１が読み出し（Ｓ２４）、外部接続I/O１０４、２０５を介してプロセッサ部２０２がデータを受け取る。受け取ったデータは、プロセッサ部２０２からメモリ２０４の条件保持領域２０４−１に書き込み保持する（Ｓ２５）。なお、ここでは起動処理完了（Ｓ２２）後に未接続状態時の条件指定のデータの受け渡しを実施するように述べたが、順序はこれに限らず、接続状態を検出して（Ｓ２０）から外付け機器へ終了したことを通知する（Ｓ２３）までに実施できれば良い。
【００４２】
最後に、携帯通信機器２００に外付け機器１００を接続することによって無線通信機能を停止した後、外付け機器１００を未接続状態にした場合について、図１３のフローチャートを使用して説明する。携帯通信機器２００のプロセッサ部２０２は外付け機器１００が未接続状態であることを検出する（Ｓ３０）と、接続時にメモリ２０４の条件保持領域２０４−１に保持しておいたデータを読み出し、指定された処理を開始する（Ｓ３３）。指定した処理として、例えば、無線停止状態を継続する処理や、タイマを使用し一定時間だけ無線停止状態を継続する処理や、無線停止状態を解除するためにパスワードを求めるような処理を追加するなど、ここで挙げた処理に限らず様々な処理を指定可能となる。また、この指定された処理として、無線停止状態を解除する処理とすれば、実施の形態１と同じ結果とすることができる。この際、表示部２０６において、ポップアップ表示にて指定処理内容の表示を行っても良い。
【００４３】
以上のように上記の携帯通信機器システムによれば、実施の形態１の効果に加えて、未接続時の処理を決めることが可能となる。つまり、外付け機器１００を配布する側にて、動作を指定できるため、例えば、ユーザが誤って外付け機器１００を外してしまった場合にも無線通信機能を停止したり、パスワードを入力するまで無線通信機能を停止したりでき、配布する側の都合の良い方法を選択が可能となり、利便性を高めることが可能となる。
【００４４】
なお、実施の形態１，２では外付け機器から状態を通知する方法としてLEDを用いて説明したが、これにかぎらず、外付け機器にLCDや電子ペーパーなどの表示手段や音声出力手段で通知しても良く、さらに組み合わせで通知しても良く、外付け機器が接続されていることで無線停止状態であることが周囲（他の人）から容易に確認できれば良い。また、無線通信機能を停止する処理として記載してきたが、これに限らず、カメラ撮影機能など携帯通信機器が持つ他の機能を起動できないようにしても良い。その場合、無線機能に限らず、特定の機能だけを停止できるため、さまざまな場所や状況に合わせて、それ以外の携帯通信機器の機能だけを使用することが可能となる。
【産業上の利用可能性】
【００４５】
本発明は、外付け機器と携帯通信機器を接続して無線停止状態にすることで、電波を使用できない場所で使用できる携帯電子機器として有用である。
【符号の説明】
【００４６】
１００    外付け機器
１０１    プロセッサ部
１０２    メモリ
１０２−１    条件指定データ領域
１０３    LED制御部
１０４    外部接続I/O
１０５、１０６    LED
２００    携帯通信機器
２０１    無線処理部
２０２    プロセッサ部
２０３    電源制御部
２０４    メモリ
２０４−１    条件保持領域
２０５    外部接続I/O
２０６    表示部
【図１】
2012195906.tif 000003
【図２】
2012195906.tif 000004
【図３】
2012195906.tif 000005
【図４】
2012195906.tif 000006
【図５】
2012195906.tif 000007
【図６】
2012195906.tif 000008
【図７】
2012195906.tif 000009
【図８】
2012195906.tif 000010
【図９】
2012195906.tif 000011
【図１０】
2012195906.tif 000012
【図１１】
2012195906.tif 000013
【図１２】
2012195906.tif 000014
【図１３】
2012195906.tif 000015